(57)【要約】  本願は帳票情報入力方法に関する。前記方法は、同一の帳票を予め設定された数のユーザ識別子に割り当て、前記ユーザ識別子により入力された前記帳票に対応する帳票入力情報を受信し、前記帳票入力情報の数が予め設定された数に達すると、前記帳票入力情報が同じであるか否かを判定し、前記帳票入力情報がすべて同じである場合、前記帳票入力情報を正確な帳票入力情報とし、前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とし、及び前記正確な帳票入力情報をデータベースに記憶することを含む。【選択図】  図３
2019508760.tif 000002
【特許請求の範囲】
【請求項１】
帳票情報入力方法であって、
同一の帳票を予め設定された数のユーザ識別子に割り当てること、
前記ユーザ識別子により入力された前記帳票に対応する帳票入力情報を受信すること、
前記帳票入力情報の数が予め設定された数に達すると、前記帳票入力情報が同じであるか否かを判定すること、
前記帳票入力情報がすべて同じである場合、前記帳票入力情報を正確な帳票入力情報とし、前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすること、
前記正確な帳票入力情報をデータベースに記憶すること、
を含むことを特徴とする帳票情報入力方法。
【請求項２】
前記ユーザ識別子により入力された前記帳票に対応する帳票入力情報を受信することは、
予め設定された第一時間閾値内において前記ユーザ識別子により入力された前記帳票に対応する帳票入力情報を受信したか否かを検出すること、
前記帳票入力情報を受信した場合、前記帳票入力情報をデータベースに記憶し、前記帳票入力情報を受信しない場合、前記帳票を回収して再度割り当てることを含むこと、
を特徴とする請求項１に記載の方法。
【請求項３】
前記方法は、さらに、
予め設定された第二時間閾値内において前記ユーザ識別子により帳票入力を行った入力総回数と正確入力回数を統計し、前記ユーザ識別子に対応する入力正確率を計算すること、
入力正確率が予め設定された正確率閾値以上である場合、前記ユーザ識別子に再審査権限を付与すること、
を含むことを特徴とする請求項１に記載の方法。
【請求項４】
前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすることは、
前記帳票入力情報が同じではない場合、各前記帳票入力情報の入力回数と前記帳票入力情報の入力総回数に基づき、各前記帳票入力情報の入力割合を計算し、最大入力割合を確定し、前記最大入力割合が予め設定された閾値より小さい場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすること、
を含むことを特徴とする請求項１に記載の方法。
【請求項５】
前記ユーザ識別子は、内部ユーザ識別子、専用ユーザ識別子とパートタイムユーザ識別子を含み、前記方法は、さらに、
予め設定された第三時間閾値内における前記ユーザ識別子に対応する帳票入力量を統計すること、
前記ユーザ識別子に対応する前記帳票入力量が予め設定された帳票割り当て量以上である場合、前記ユーザ識別子に対応する前記予め設定された帳票割り当て量を増加し、前記ユーザ識別子に対応する前記帳票入力量が予め設定された帳票割り当て量より小さい場合、前記ユーザ識別子に対応する前記予め設定された帳票割り当て量を減少させること、
を含むことを特徴とする請求項１に記載の方法。
【請求項６】
帳票情報入力装置であって、
同一の帳票を予め設定された数のユーザ識別子に割り当てることに用いられる帳票割り当てモジュール、
前記ユーザ識別子により入力された前記帳票に対応する帳票入力情報を受信することに用いられる帳票入力情報受信モジュール、
前記帳票入力情報の数が予め設定された数に達すると、前記帳票入力情報が同じであるか否かを判定することに用いられる帳票入力情報判定モジュール、
前記帳票入力情報がすべて同じである場合、前記帳票入力情報を正確な帳票入力情報とし、前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすることに用いられる正確帳票入力情報確定モジュール、
前記正確な帳票入力情報をデータベースに記憶することに用いられる正確帳票入力情報記憶モジュール、
を含むことを特徴とする帳票情報入力装置。
【請求項７】
前記帳票入力情報受信モジュールは、
予め設定された第一時間閾値内において前記ユーザ識別子により入力された前記帳票に対応する帳票入力情報を受信したか否かを検出することに用いられる検出モジュール、
前記帳票入力情報を受信した場合、前記帳票入力情報をデータベースに記憶することに用いられる帳票入力情報記憶モジュール、
前記帳票入力情報を受信しない場合、前記帳票を回収して再度割り当てることに用いられる帳票回収モジュール、
を含むことを特徴とする請求項６に記載の装置。
【請求項８】
前記装置は、さらに、
予め設定された第二時間閾値内において前記ユーザ識別子により帳票入力を行った入力総回数と正確入力回数を統計し、前記ユーザ識別子に対応する入力正確率を計算することに用いられる入力正確率計算モジュール、
前記入力正確率が予め設定された正確率閾値以上である場合、前記ユーザ識別子に再審査権限を付与することに用いられる再審査権限付与モジュール、
を含むことを特徴とする請求項６に記載の装置。
【請求項９】
前記正確帳票入力情報確定モジュールは、前記帳票入力情報が同じではない場合、各前記帳票入力情報の入力回数と前記帳票入力情報の入力総回数に基づき、各前記帳票入力情報の入力割合を計算し、最大入力割合を確定し、前記最大入力割合が予め設定された閾値より小さい場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすることに用いられること
を特徴とする請求項６に記載の装置。
【請求項１０】
前記ユーザ識別子は、内部ユーザ識別子、専用ユーザ識別子とパートタイムユーザ識別子を含み、前記装置は、さらに、
予め設定された第三時間閾値内における前記ユーザ識別子に対応する帳票入力量を統計することに用いられる帳票入力量統計モジュール、
前記ユーザ識別子に対応する前記帳票入力量が予め設定された帳票割り当て量以上である場合、前記ユーザ識別子に対応する前記予め設定された帳票割り当て量を増加し、前記ユーザ識別子に対応する前記帳票入力量が予め設定された帳票割り当て量より小さい場合、前記ユーザ識別子に対応する前記予め設定された帳票割り当て量を減少させることに用いられる所定帳票割り当て量調整モジュール、
を含むことを特徴とする請求項６に記載の装置。
【請求項１１】
コンピュータ可読命令が記憶されたメモリと、一つ又は複数のプロセッサとを備えるサーバであって、
前記コンピュータ可読命令が前記プロセッサに実行される際に、前記一つ又は複数のプロセッサに、
同一の帳票を予め設定された数のユーザ識別子に割り当てるステップ、
前記ユーザ識別子により入力された前記帳票に対応する帳票入力情報を受信するステップ、
前記帳票入力情報の数が予め設定された数に達すると、前記帳票入力情報が同じであるか否かを判定するステップ、
前記帳票入力情報がすべて同じである場合、前記帳票入力情報を正確な帳票入力情報とし、前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とするステップ、
前記正確な帳票入力情報をデータベースに記憶するステップ、
を実行させることを特徴とするサーバ。
【請求項１２】
前記一つ又は複数のプロセッサが前記ユーザ識別子により入力された前記帳票に対応する帳票入力情報を受信するステップを実行することは、
予め設定された第一時間閾値内において前記ユーザ識別子により入力された前記帳票に対応する帳票入力情報を受信したか否かを検出し、
前記帳票入力情報を受信した場合、前記帳票入力情報をデータベースに記憶し、前記帳票入力情報を受信しない場合、前記帳票を回収して再度割り当てること、
を含むことを特徴とする請求項１１に記載のサーバ。
【請求項１３】
前記一つ又は複数のプロセッサは、さらに、
予め設定された第二時間閾値内において前記ユーザ識別子により帳票入力を行った入力総回数と正確入力回数を統計し、前記ユーザ識別子に対応する入力正確率を計算するステップ、
前記入力正確率が予め設定された正確率閾値以上である場合、前記ユーザ識別子に再審査権限を付与するステップ、
を実行することを特徴とする請求項１１に記載のサーバ。
【請求項１４】
前記一つ又は複数のプロセッサが、前記帳票入力情報が同じではない場合に、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とするステップを実行することは、
前記帳票入力情報が同じではない場合、各前記帳票入力情報の入力回数と前記帳票入力情報の入力総回数に基づき、各前記帳票入力情報の入力割合を計算し、最大入力割合を確定し、前記最大入力割合が予め設定された閾値より小さい場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすること、
を含むことを特徴とする請求項１１に記載のサーバ。
【請求項１５】
前記ユーザ識別子は、内部ユーザ識別子、専用ユーザ識別子とパートタイムユーザ識別子を含み、前記一つ又は複数のプロセッサは、さらに、
予め設定された第三時間閾値内における前記ユーザ識別子に対応する帳票入力量を統計するステップ、
前記ユーザ識別子に対応する前記帳票入力量が予め設定された帳票割り当て量以上である場合、前記ユーザ識別子に対応する前記予め設定された帳票割り当て量を増加するステップ、
前記ユーザ識別子に対応する前記帳票入力量が予め設定された帳票割り当て量より小さい場合、前記ユーザ識別子に対応する前記予め設定された帳票割り当て量を減少させるステップ、
を実行することを特徴とする請求項１１に記載のサーバ。
【請求項１６】
コンピュータ実行可能な命令が記憶された一つ又は複数のコンピュータ可読不揮発性記憶媒体であって、前記コンピュータ実行可能な命令が一つ又は複数のプロセッサに実行される際に、前記一つ又は複数のプロセッサに、
同一の帳票を予め設定された数のユーザ識別子に割り当てるステップ、
前記ユーザ識別子により入力された前記帳票に対応する帳票入力情報を受信するステップ、
前記帳票入力情報の数が予め設定された数に達すると、前記帳票入力情報が同じであるか否かを判定するステップ、
前記帳票入力情報がすべて同じである場合、前記帳票入力情報を正確な帳票入力情報とし、前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とするステップ、
前記正確な帳票入力情報をデータベースに記憶するステップ、
を実行させることを特徴とするコンピュータ可読不揮発性記憶媒体。
【請求項１７】
前記一つ又は複数のプロセッサが前記ユーザ識別子により入力された前記帳票に対応する帳票入力情報を受信するステップを実行することは、
予め設定された第一時間閾値内において前記ユーザ識別子により入力された前記帳票に対応する帳票入力情報を受信したか否かを検出し、
前記帳票入力情報を受信した場合、前記帳票入力情報をデータベースに記憶し、前記帳票入力情報を受信しない場合、前記帳票を回収して再度割り当てること、
を含むことを特徴とする請求項１６に記載の記憶媒体。
【請求項１８】
前記一つ又は複数のプロセッサは、さらに、
予め設定された第二時間閾値内において前記ユーザ識別子により帳票入力を行った入力総回数と正確入力回数を統計し、前記ユーザ識別子に対応する入力正確率を計算するステップ、
前記入力正確率が予め設定された正確率閾値以上である場合、前記ユーザ識別子に再審査権限を付与するステップ、
を実行することを特徴とする請求項１６に記載の記憶媒体。
【請求項１９】
前記一つ又は複数のプロセッサが、前記帳票入力情報が同じではない場合に、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とするステップを実行することは、
前記帳票入力情報が同じではない場合、各前記帳票入力情報の入力回数と前記帳票入力情報の入力総回数に基づき、各前記帳票入力情報の入力割合を計算し、最大入力割合を確定すること、
前記最大入力割合が予め設定された閾値より小さい場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすること、
を含むことを特徴とする請求項１６に記載の記憶媒体。
【請求項２０】
前記ユーザ識別子は、内部ユーザ識別子、専用ユーザ識別子とパートタイムユーザ識別子を含み、前記一つ又は複数のプロセッサは、さらに、
予め設定された第三時間閾値内における前記ユーザ識別子に対応する帳票入力量を統計するステップ、
前記ユーザ識別子に対応する前記帳票入力量が予め設定された帳票割り当て量以上である場合、前記ユーザ識別子に対応する前記予め設定された帳票割り当て量を増加するステップ、
前記ユーザ識別子に対応する前記帳票入力量が予め設定された帳票割り当て量より小さい場合、前記ユーザ識別子に対応する前記予め設定された帳票割り当て量を減少させるステップ、
を実行することを特徴とする請求項１６に記載の記憶媒体。
【発明の詳細な説明】
【技術分野】
【０００１】
本願は、２０１６年１２月１５日に中国国家知識産権局へ提出された、発明の名称を「帳票情報入力方法及び装置」とする中国特許出願番号第２０１６１１１６３１７３.０号に基づく優先権を主張し、当該出願に記載された全ての内容をここに援用するものである。
【０００２】
本発明は、コンピュータ技術分野に関し、特に、帳票情報入力方法、装置、サーバ及び記憶媒体に関するものである。
【背景技術】
【０００３】
従来の帳票情報入力方法は、システムが帳票情報入力タスクをユーザに割り当て、ユーザにより該帳票の情報を対照して入力した後、入力正確率を向上させるために、直接審査者を手配して手動による審査を行う。
【０００４】
しかしながら、帳票情報入力データの量が非常に膨大である場合、例えば、保険会社がキャンペーンを行う期間、業務量は急激に増加し、システムが保険帳票のスキャン画像をユーザに割り当て、ユーザにより画像の記入情報を対照してテキスト入力を行った後、直接手動による審査を行う。そのため、審査者は疲れを感じやすく、監査の誤り率が高くなるため、入力の正確率が低い。
【発明の概要】
【発明が解決しようとする課題】
【０００５】
本発明は、各実施形態に基づき、帳票情報入力方法、装置、サーバ及び記憶媒体を提供することを目的とする。
【課題を解決するための手段】
【０００６】
帳票情報入力方法であって、
同一の帳票を予め設定された数のユーザ識別子に割り当てること、
前記ユーザ識別子により入力された前記帳票に対応する帳票入力情報を受信すること、
前記帳票入力情報の数が予め設定された数に達すると、前記帳票入力情報が同じであるか否かを判定すること、
前記帳票入力情報がすべて同じである場合、前記帳票入力情報を正確な帳票入力情報とし、前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすること、
前記正確な帳票入力情報をデータベースに記憶すること、
を含むことを特徴とする。
【０００７】
帳票情報入力装置であって、
同一の帳票を予め設定された数のユーザ識別子に割り当てることに用いられる帳票割り当てモジュール、
前記ユーザ識別子により入力された前記帳票に対応する帳票入力情報を受信することに用いられる帳票入力情報受信モジュール、
前記帳票入力情報の数が予め設定された数に達すると、前記帳票入力情報が同じであるか否かを判定することに用いられる帳票入力情報判定モジュール、
前記帳票入力情報がすべて同じである場合、前記帳票入力情報を正確な帳票入力情報とし、前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすることに用いられる正確帳票入力情報確定モジュール、
前記正確な帳票入力情報をデータベースに記憶することに用いられる正確帳票入力情報記憶モジュール、
を含むことを特徴とする。
【０００８】
コンピュータ可読命令が記憶されたメモリと、一つ又は複数のプロセッサとを備えるサーバであって、
前記コンピュータ可読命令が前記プロセッサに実行される際に、前記一つ又は複数のプロセッサに、
同一の帳票を予め設定された数のユーザ識別子に割り当てるステップ、
前記ユーザ識別子により入力された前記帳票に対応する帳票入力情報を受信するステップ、
前記帳票入力情報の数が予め設定された数に達すると、前記帳票入力情報が同じであるか否かを判定するステップ、
前記帳票入力情報がすべて同じである場合、前記帳票入力情報を正確な帳票入力情報とし、前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とするステップ、
前記正確な帳票入力情報をデータベースに記憶するステップ、
を実行させることを特徴とする。
【０００９】
コンピュータ実行可能な命令が記憶された一つ又は複数のコンピュータ可読不揮発性記憶媒体であって、
前記コンピュータ実行可能な命令が一つ又は複数のプロセッサに実行される際に、前記一つ又は複数のプロセッサに、
同一の帳票を予め設定された数のユーザ識別子に割り当てるステップ、
前記ユーザ識別子により入力された前記帳票に対応する帳票入力情報を受信するステップ、
前記帳票入力情報の数が予め設定された数に達すると、前記帳票入力情報が同じであるか否かを判定するステップ、
前記帳票入力情報がすべて同じである場合、前記帳票入力情報を正確な帳票入力情報とし、前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とするステップ、
前記正確な帳票入力情報をデータベースに記憶するステップ、
を実行させることを特徴とする。
【００１０】
本発明の一つ又は複数の実施形態の詳細を、下記の図面及び記載において説明する。本発明の他の特徴、目的及び効果は、明細書、図面及び特許請求の範囲から明らかになる。
【００１１】
本発明の実施形態又は従来技術における技術的解決手段をより明確に説明するため、以下、実施形態又は従来技術に用いられる図面を簡単に紹介する。なお、下記図面は単に本発明のいくつかの実施形態を示しているに過ぎず、当業者が創造的な努力を払うことなく、下記図面に基づいて他の図面を得ることができることを理解されたい。
【図面の簡単な説明】
【００１２】
【図１】一実施形態における帳票情報入力方法の応用環境図である。
【図２】一実施形態におけるサーバの内部構造図である。
【図３】一実施形態における帳票情報入力方法のフローチャートである。
【図４】図３における帳票入力情報を受信するフローチャートである。
【図５】一実施形態における再審査権限の付与のフローチャートである。
【図６】他の実施形態における帳票情報入力方法のフローチャートである。
【図７】一実施形態における帳票情報入力装置の構造ブロック図である。
【図８】他の実施形態における帳票情報入力装置の構造ブロック図である。
【図９】図８の帳票入力情報受信モジュールの構造ブロック図である。
【図１０】他の実施形態における帳票情報入力装置の構造ブロック図である。
【図１１】他の実施形態における帳票情報入力装置の構造ブロック図である。
【図１２】一実施形態における帳票入力情報の種類が中国語であるｐｃ側の入力インタフェースである。
【図１３】一実施形態における帳票入力情報の種類が英語であるｐｃ側の入力インタフェースである。
【図１４】一実施形態における帳票入力情報の種類が数字であるｐｃ側の入力インタフェースである。
【図１５】一実施形態における帳票入力情報の種類が中国語であるｐｃ側の入力インタフェースである。
【図１６】一実施形態における帳票入力情報の種類が数字である移動側の入力インタフェースである。
【発明を実施するための形態】
【００１３】
本発明の目的、技術的解決手段及び効果をより明らかにするために、以下、図面及び実施形態を参照して、本発明を更に詳細に説明する。なお、以下に説明する具体的な実施形態は、本発明の例示にすぎず、本発明を限定するものではないと理解されたい。
【００１４】
本発明の実施形態により提供される帳票情報入力方法は、図１に示す環境に応用されることができる。図１に示すように、サーバ１０２は、帳票画像を端末１０４に送信することができ、端末１０４から入力された帳票入力情報を受信し、正確な帳票入力情報を確定し、正確な帳票入力情報をデータベースに記憶することもできる。具体的には、サーバ１０２はネットワークを介して端末１０４と通信し、サーバ１０２は、同一の帳票を予め設定された数のユーザ識別子に割り当て、ユーザ識別子のある端末１０４から入力された帳票入力情報を受信し、帳票入力情報の数が予め設定された数に達すると、これらの帳票入力情報が同じであるか否かを判定し、これらの帳票入力情報がすべて同じである場合、この帳票入力情報を正確な帳票入力情報としてデータベースに記憶し、これらの帳票入力情報に同じではない帳票入力情報がある場合、この帳票を再審査権限を有する再審査ユーザ識別子に割り当て、再審査権限を有する再審査ユーザ識別子のある端末１０４から入力された再審査帳票入力情報を受信し、この再審査帳票入力情報を正確な帳票入力情報としてデータベースに記憶する。ここでの端末は、様々なパーソナルコンピュータ、ノートパソコン、スマートフォン、タブレットコンピュータ、携帯型ウェアラブル機器などを含むが、これらに限定されない。
【００１５】
一つの実施形態において、図２に示すように、サーバが提供され、該サーバは、システムバスを介して接続されたプロセッサ、不揮発性記憶媒体、内部メモリ及びネットワークインタフェースを含む。不揮発性記憶媒体にオペレーティングシステム及びコンピュータ可読命令が記憶される。プロセッサは、計算と制御能力を向上させ、サーバ全体の動作をサポートすることに用いられる。内部メモリは、不揮発性記憶媒体におけるオペレーティングシステム及びコンピュータ可読命令の実行のために環境を提供することに用いられ、該コンピュータ可読命令がプロセッサに実行される場合、該プロセッサは帳票情報入力方法を実行することができる。ネットワークインタフェースは、端末とネットワーク通信を行い、データを受信又は送信することに用いられ、例えば、帳票画像を端末に送信することができ、端末から入力された帳票入力情報を受信し、正確な帳票入力情報を確定し、正確な帳票入力情報をデータベースに記憶することもできる。
【００１６】
一つの実施形態において、図３に示すように、帳票情報入力方法が提供され、該方法は、図１に示すサーバに応用されることを例として説明され、以下のステップを含む。
【００１７】
ステップ３０２では、同一の帳票を予め設定された数のユーザ識別子に割り当てる。
【００１８】
ここでの帳票は、手書き情報を含む紙帳票のスキャン画像、例えば、保険会社の保険帳票スキャン画像であり、その上に保険を購入した顧客の手書きの名前、連絡先情報などの情報が含まれる。帳票は、帳票全体のスキャン画像、例えば、保険帳票全体のスキャン画像であってもよく、または、帳票テンプレートに基づいて帳票を切り取って得られたスキャン画像、例えば、手書き名前のスキャン画像などであってもよい。
【００１９】
ここでのユーザ識別子は、携帯電話番号、メールアカウント又はカスタムアカウントなどであってもよい。
【００２０】
ステップ３０４では、ユーザ識別子により入力された帳票に対応する帳票入力情報を受信する。
【００２１】
具体的には、ユーザ識別子に対応するユーザは、サーバから割り当てられた帳票を対照し、端末より帳票に対応する帳票入力情報をシステムに入力する。
【００２２】
ここでの帳票入力情報は、帳票における手書き情報であってもよく、紙帳票を記入した顧客の署名、連絡先情報、支払方法などであってもよい。帳票入力情報の種類は、中国語、英語、数字とチェックを含む。図１２〜１５に示すように、帳票入力情報が単一チェック入力である場合、例えば、支払方法を入力する場合、帳票における選択可能な支払方法は、自主支払と受託支払との２種類があり、予め設定された数字「１」が第一種類の支払方法、即ち、「自主支払」に対応し、予め設定された数字「２」が第二種類の支払方法、即ち、「受託支払」に対応すると、ユーザは「１」又は「２」を入力するだけでチェック入力を完了できる。帳票入力情報がマルチチェック入力である場合、例えば、顧客の個人的な趣味を入力する場合、マルチチェックが現れ、ユーザはオプションに対応する番号を入力するだけでよく、その間に、「１／２」又は「１，２」などのように、「／」又は「，」で区切ることができる。
【００２３】
ステップ３０６では、帳票入力情報の数が予め設定された数に達すると、帳票入力情報が同じであるか否かを判定し、そうである場合、ステップ３０８に移行し、そうでない場合、ステップ３１０に移行する。
【００２４】
サーバは同一の帳票を予め設定された数のユーザ識別子に割り当てるため、サーバが予め設定された数の帳票入力情報を受信した場合のみ、これらの帳票入力情報に対して後続処理を行う。例えば、サーバが同一の車両保険帳票における車両所有者の名前を三つのユーザ識別子に割り当てる場合、サーバは三つのユーザ識別子に対応する提出順序で車両所有者の名前を順次受信し、車両所有者の名前を三つ受信した場合、この三つの車両所有者の名前が同じであるか否かを判定する。
【００２５】
ステップ３０８では、帳票入力情報を正確な帳票入力情報とする。
【００２６】
帳票入力情報がすべて同じである場合、該帳票入力情報の信頼性が高く、正確率もそれに応じて高いため、該帳票入力情報を正確な帳票入力情報とすることができる。
【００２７】
ステップ３１０では、帳票を再審査権限を有する再審査ユーザ識別子に割り当て、再審査ユーザ識別子により入力された帳票に対応する再審査帳票入力情報を受信し、再審査帳票入力情報を正確な帳票入力情報とする。
【００２８】
ここでの再審査権限を有する再審査ユーザ識別子は、一般的な権限を有する一般的なユーザ識別子に対するものである。再審査権限を有する再審査ユーザ識別子に対応するユーザのみ、入力結果の異なる帳票情報を再度入力することができる。
【００２９】
帳票入力情報が異なる場合、どの帳票入力情報が正確な帳票入力情報として使用することができるかを判定できないため、該帳票を再審査権限を有する再審査ユーザ識別子に再度割り当て、再審査ユーザ識別子に対応するユーザが該帳票を入力するようにする。
【００３０】
ステップ３１２では、正確な帳票入力情報をデータベースに記憶する。
【００３１】
正確な帳票入力情報が確定した後、サーバは正確な帳票入力情報をデータベースに記憶する。
【００３２】
本実施形態において、各帳票を複数回入力し、且つ入力結果について対応する処理を行うことにより、正確な帳票入力情報を確定し、各帳票を一回だけ入力してから、直接手動による審査により正確な帳票入力情報を確定するものではないため、入力正確率が向上する。
【００３３】
一つの実施形態において、図４に示すように、上記ステップ３０４は以下のステップを含む。
【００３４】
ステップ３１４では、予め設定された第一時間閾値内においてユーザ識別子により入力された帳票に対応する帳票入力情報を受信したか否かを検出し、そうである場合、ステップ３２４に移行し、そうでない場合、ステップ３３４に移行する。
【００３５】
各ユーザ識別子に対応する各ユーザは、帳票入力を行う時に、他の緊急事項が発生すると、入力情報を提出する時間がない場合があり、帳票情報入力の遅延が発生する。この状況を防止するために、ユーザ識別子によりユーザに入力時間の制限を与え、即ち、第一時間閾値を予め設定し、予め設定された第一時間閾値は４５秒又は２分間などであってもよい。
【００３６】
ステップ３２４では、帳票入力情報をデータベースに記憶する。
【００３７】
予め設定された第一時間閾値内においてユーザ識別子により入力された帳票入力情報を受信した場合、即ち、ユーザ識別子に対応するユーザが帳票入力情報を適時に提出した場合、該帳票入力情報をデータベースに記憶する。
【００３８】
ステップ３３４では、帳票を回収して再度割り当てる。
【００３９】
予め設定された第一時間閾値内においてユーザ識別子により入力された帳票入力情報を受信しない場合、即ち、ユーザ識別子に対応するユーザが帳票入力情報を適時に提出しない場合、該帳票入力情報をタスクプールに回収して他のユーザ識別子に対応するユーザに再度割り当てて、入力する。
【００４０】
本実施形態において、帳票入力情報を受信する過程において、時間の制限を追加することにより、単一のユーザが適時に入力しないことが原因で、この帳票情報の入力の遅延や先延ばしが発生することなく、帳票情報の入力効率が向上する。
【００４１】
一実施形態において、図５に示すように、上記帳票情報入力方法は、さらに再審査権限の付与プロセスを含む。
【００４２】
ステップ４０２では、予め設定された第二時間閾値においてユーザ識別子により帳票入力を行った入力総回数と正確入力回数を統計し、ユーザ識別子に対応する入力正確率を計算する。
【００４３】
例えば、第二時間閾値が一カ月である場合、一か月以内において各ユーザ識別子により帳票入力を行った入力総回数と正確な入力回数を統計し、それによって、各ユーザ識別子に対応する入力正確率を計算する。
【００４４】
ステップ４０４では、入力正確率が予め設定された正確率閾値以上である場合、ユーザ識別子に再審査権限を付与する。
【００４５】
同様に、ここでの再審査権限は、一般的な権限に対するものである。各ユーザ識別子に対して、最初に付与する権限は全て一般的な権限だけであり、即ち、ユーザ識別子に対応するユーザによる帳票情報入力は一回しかできない。入力時間が予め設定された第二時間閾値に達する場合、例えば、ユーザがユーザ識別子により、２０１６年９月１日午後４時１０分から一回目の帳票情報入力を行った場合、２０１６年１０月１日午後４時１０分に、サーバは、該期間において、このユーザ識別子により帳票入力を行った入力総回数と入力正確回数を統計し、このユーザ識別子に対応する入力正確率を計算し、該入力正確率が予め設定された正確率閾値より大きく、例えば、このユーザ識別子に対応する入力正確率が９２％であり、予め設定された正確率閾値が９０％である場合、このユーザ識別子に再審査権限を付与する。
【００４６】
さらに、ユーザ識別子は再審査権限を所有することは永久的ではない。なぜならば、再審査権限の付与は定期更新方式だからである。例えば、２０１６年１０月１日午後４時１０分から２０１６年１１月１日午後４時１０分まで、上記ユーザ識別子に対応する入力正確率が８４％であり、予め正確率閾値９０％より小さい場合、このユーザ識別子が持つ再審査権限を一般的な権限に更新する。
【００４７】
本実施形態において、予め設定された第二時間閾値内におけるユーザ識別子に対応する入力正確率を計算し、該入力正確率を予め設定された正確率閾値と比較して、該入力正確率は予め設定された正確率閾値より大きい場合、ユーザ識別子に再審査権限を付与する。この方法により確定された再審査権限を有する再審査ユーザ識別子に対応する帳票入力情報は、一般的な権限を有するユーザ識別子に対応する帳票入力情報に比べて、正確率が高い。
【００４８】
一実施形態において、帳票入力情報が同じではない場合、帳票を再審査権限を有する再審査ユーザ識別子に割り当て、再審査ユーザ識別子により入力された帳票に対応する再審査帳票入力情報を受信し、再審査帳票入力情報を正確な帳票入力情報とする。そのうち、帳票入力情報が同じではない場合、各帳票入力情報の入力回数と帳票入力情報の入力総回数に基づき、各帳票入力情報の入力割合を計算し、最大入力割合を確定し、最大入力割合が予め設定された閾値より小さい場合、帳票を再審査権限を有する再審査ユーザ識別子に割り当て、再審査ユーザ識別子により入力された帳票に対応する再審査帳票入力情報を受信し、再審査帳票入力情報を正確な帳票入力情報とすることを含む。例えば、システムは、帳票「張暁明」を五つのユーザ識別子に割り当て、その中で、二つのユーザ識別子に対応する入力結果が「張暁敏」であり、他の二つのユーザ識別子に対応する入力結果が「張暁明」であり、他の一つのユーザ識別子に対応する入力結果が「張小明」である場合、「張暁敏」、「張暁明」と「張小明」の入力割合をそれぞれ計算する。入力総回数は五であるため、「張暁敏」の入力割合が４０％で、「張暁明」の入力割合が４０％で、「張小明」の入力割合が２０％である。そうすると、最大割合が４０％であり、予め設定された割合閾値が６０％である場合、該帳票入力情報「張暁明」を再審査権限を有する再審査ユーザ識別子に割り当て、再審査ユーザ識別子により入力された再審査帳票入力情報を受信し、該再審査帳票入力情報を正確な帳票入力情報とする。
【００４９】
本実施形態において、最大入力割合の確定を追加し、最大入力割合を予め設定された閾値と比較して、最大入力割合が予め設定された割合閾値より小さい場合、帳票を再審査権限を有する再審査ユーザ識別子に割り当てる。帳票入力情報が同じではない場合、直接帳票を再審査権限を有する再審査ユーザ識別子に割り当てる場合に比べて、帳票情報入力の割り当て回数が減少する。
【００５０】
一実施形態において、ユーザ識別子は、内部ユーザ識別子、専用ユーザ識別子とパートタイムユーザ識別子を含む。これらのユーザ識別子は、異なる権限を有し、例えば、パートタイムユーザ識別子は、車両保険を購入した顧客の個人情報、例えば、名前、連絡先、趣味など（身分証明書番号が含まれない）の入力権限のみ有する。専用ユーザ識別子は、上記権限以外、車両保険を購入した顧客の身分証明書番号とナンバープレート番号の入力権限を有する。内部ユーザ識別子は、パートタイムユーザ識別子と専用ユーザ識別子が有する権限以外、サービスに関する情報入力権限を有する。これらのユーザ識別子に対応するユーザは、図１２〜１５に示すように、ＰＣ側で帳票情報入力を行ってもよく、図１６に示すように、移動側で帳票情報入力を行ってもよい。
【００５１】
本実施形態において、帳票情報入力方法は、さらに、予め設定された第三時間閾値内におけるユーザ識別子に対応する帳票入力量を統計し、ユーザ識別子に対応する帳票入力量が予め設定された帳票割り当て量以上である場合、ユーザ識別子に対応する予め設定された帳票割り当て量を増加し、ユーザ識別子に対応する帳票入力量が予め設定された帳票割り当て量より小さい場合、ユーザ識別子の予め設定された帳票割り当て量を減少させることを含む。
【００５２】
本実施形態において、内部ユーザ識別子に基づき、専用ユーザ識別子とパートタイムユーザ識別子を導入することにより、ユーザ識別子の種類を増やし、即ち、入力担当者の出所を増やし、帳票情報の入力効率を効果的に向上させ、また、異なる種類のユーザ識別子に対応する帳票入力量に基づき、異なる種類のユーザ識別子に対応する予め設定された帳票割り当て量を動的に調整し、帳票情報の入力効率をより向上させる。
【００５３】
一実施形態において、図６に示すように、別の帳票情報入力方法が提供され、以下のステップを含む。
【００５４】
ステップ５０２では、同一の帳票を予め設定された数のユーザ識別子に割り当てる。
【００５５】
同様に、ここでの帳票は、手書き情報を含む紙帳票のスキャン画像である。帳票は帳票全体のスキャン画像、例えば、保険帳票のスキャン画像であってもよく、または、帳票のテンプレートに基づいて帳票を切り取って得られた帳票破片のスキャン画像、例えば、手書き名前のスキャン画像であってもよい。ここでのユーザ識別子は、携帯電話番号、メールアカウント又はカスタムアカウントなどであってもよい。
【００５６】
ステップ５０４では、予め設定された第一時間閾値内においてユーザ識別子により入力された帳票に対応する帳票入力情報を受信したか否かを検出し、そうである場合、ステップ５０６に移行し、そうでない場合、ステップ５０８に移行する。
【００５７】
各ユーザ識別子に対応する各ユーザは、帳票情報入力を行う時に、他の緊急事項が発生すると、入力情報を提出する時間がない場合があり、帳票情報入力の遅延が発生する。この状況を防止するために、ユーザ識別子によりユーザに入力時間の制限を与え、即ち、第一時間閾値を予め設定し、予め設定された第一時間閾値は４５秒又は２分間などであってもよい。
【００５８】
ステップ５０６では、帳票入力情報をデータベースに記憶する。
【００５９】
予め設定された第一時間閾値内においてユーザ識別子により入力された帳票入力情報を受信した場合、即ち、ユーザ識別子に対応するユーザが帳票入力情報を適時に提出した場合、該帳票入力情報をデータベースに記憶する。
【００６０】
ステップ５０８では、帳票を回収して再度割り当てる。
【００６１】
予め設定された第一時間閾値内においてユーザ識別子により入力された帳票入力情報を受信した場合、即ち、ユーザ識別子に対応するユーザが帳票入力情報を適時に提出しない場合、該帳票入力情報をタスクプールに回収してユーザ識別子によって他のユーザに再度割り当てて、入力する。
【００６２】
ステップ５１０では、帳票入力情報の数が予め設定された数に達すると、帳票入力情報が同じであるか否かを判定し、そうである場合、ステップ５１２に移行し、そうでない場合、ステップ５１４に移行する。
【００６３】
サーバは同一の帳票を予め設定された数のユーザ識別子に割り当てるため、サーバが予め設定された数の帳票入力情報を受信した場合のみ、これらの帳票入力情報に対して後続処理を行う。例えば、本実施形態における予め設定された数は２つである。サーバが同一の車両保険帳票における車両所有者の連絡先を二つのユーザ識別子に割り当てる場合、サーバは、二つのユーザ識別子に対応する提出順序で該連絡先を順次受信し、車両所有者の連絡先を二つ受信した場合、この二つの車両所有者の連絡先が同じであるか否かを判定する。
【００６４】
ステップ５１２では、帳票入力情報を正確な帳票入力情報とする。
【００６５】
帳票入力情報がすべて同じである場合、該帳票入力情報の信頼性が高く、正確率もそれに応じて高いため、該帳票入力情報を正確な帳票入力情報とすることができる。
【００６６】
ステップ５１４では、帳票を再審査権限を有する再審査ユーザ識別子に割り当て、再審査ユーザ識別子により入力された帳票に対応する再審査帳票入力情報を受信し、再審査帳票入力情報を正確な帳票入力情報とする。
【００６７】
ここでの再審査権限を有する再審査ユーザ識別子は、一般的な権限を有する一般的なユーザ識別子に対するものである。再審査権限を有する再審査ユーザ識別子の確定方法は、予め設定された第二時間閾値内（例えば三カ月）においてユーザ識別子により帳票入力を行った入力総回数と正確な入力回数を統計し、ユーザ識別子に対応する入力正確率を計算し、入力正確率が予め設定された正確率以上である場合、ユーザ識別子に再審査権限を付与する。
【００６８】
ステップ５１６では、正確な帳票入力情報をデータベースに記憶する。
【００６９】
正確な帳票入力情報が確定された後、サーバは正確な帳票入力情報をデータベースに記憶する。
【００７０】
ステップ５１８では、予め設定された第三時間閾値内におけるユーザ識別子に対応する帳票入力量を統計する。
【００７１】
ここでのユーザ識別子は、内部ユーザ識別子、専用ユーザ識別子とパートタイムユーザ識別子を含み、これらのユーザ識別子は異なる権限を有し、そのため割り当てられた入力タスクは異なる。
【００７２】
ステップ５２０では、ユーザ識別子に対応する帳票入力量が予め設定された帳票割り当て量以上であるか否かを判定し、そうである場合、ステップ５２２に移行し、そうでない場合、ステップ５２４に移行する。
【００７３】
帳票入力量が予め設定された帳票割り当て量以上である場合、ステップ５２２において、ユーザ識別子に対応する予め設定された帳票割り当て量を増加する。
【００７４】
帳票入力量が予め設定された帳票割り当て量より小さい場合、ステップ５２４において、ユーザ識別子に対応する予め設定された帳票割り当て量を減少させる。
【００７５】
ステップ５２２とステップ５２４において、予め設定された第三時間閾値内における異なるユーザ識別子に対応する帳票入力量と予め設定された帳票割り当て量に基づき、予め設定された帳票割り当て量の動的調整を実現する。
【００７６】
本実施形態において、各帳票を複数回入力し、且つ入力結果について対応する処理を行うことにより、正確な帳票入力情報を確定し、各帳票を一回だけ入力してから、直接手動による審査により正確な帳票入力情報を確定するものではないため、入力正確率を向上させる。これにより、各ユーザ識別子に対応するユーザが帳票情報入力を行う場合、時間制限を増加し、入力効率を効果的に向上させ、より多くの異なる種類のユーザ識別子を導入し且つ予め設定された時間内における各ユーザ識別子に対応する帳票入力量に基づいて異なる種類のユーザ識別子に対応する予め設定された帳票割り当て量を動的に調整し、さらに入力効率を向上させる。
【００７７】
一実施形態において、サーバが提供され、該サーバの内部構造は図２に示す通りであってもよく、下記の各モジュールは、全部又は一部で、ソフトウェア、ハードウェア又はそれらの組み合わせにより実現されることができる。図７に示すように、一実施形態において、該サーバは帳票情報入力装置を含み、該装置が以下のモジュールを含む。
【００７８】
帳票割り当てモジュール６０２は、同一の帳票を予め設定された数のユーザ識別子に割り当てることに用いられる。
【００７９】
帳票入力情報受信モジュール６０４は、ユーザ識別子により入力された帳票に対応する帳票入力情報を受信することに用いられる。
【００８０】
帳票入力情報判定モジュール６０６は、帳票入力情報の数が予め設定された数に達すると、帳票入力情報が同じであるか否かを判定することに用いられる。
【００８１】
正確帳票入力情報確定モジュール６０８は、帳票入力情報がすべて同じである場合、帳票入力情報を正確な帳票入力情報とし、帳票入力情報が同じではない場合、帳票を再審査権限を有する再審査ユーザ識別子に割り当て、再審査ユーザ識別子により入力された帳票に対応する再審査帳票入力情報を受信し、再審査帳票入力情報を正確な帳票入力情報とすることに用いられる。
【００８２】
正確帳票入力情報記憶モジュール６１０は、正確な帳票入力情報をデータベースに記憶することに用いられる。
【００８３】
一実施形態において、図８に示すように、上記サーバにおける帳票情報入力装置は、さらに以下のモジュールを含む。
【００８４】
入力正確率計算モジュール７１２は、予め設定された第二時間閾値内においてユーザ識別子により帳票入力を行った入力総回数と正確入力回数を統計し、ユーザ識別子に対応する入力正確率を計算することに用いられる。
【００８５】
再審査権限付与モジュール７１４は、入力正確率が予め設定された正確率閾値以上である場合、ユーザ識別子に再審査権限を付与することに用いられる。
【００８６】
一実施形態において、正確帳票入力情報確定モジュール６０８は、帳票入力情報が同じではない場合、各帳票入力情報の入力回数と帳票入力情報の入力総回数に基づき、各帳票入力情報の入力割合を計算し、最大入力割合を確定し、最大入力割合が予め設定された閾値より小さい場合、帳票を再審査権限を有する再審査ユーザ識別子に割り当て、再審査ユーザ識別子により入力された帳票に対応する再審査帳票入力情報を受信し、再審査帳票入力情報を正確な帳票入力情報とすることに用いられる。
【００８７】
一実施形態において、図９に示すように、帳票入力情報受信モジュール６０４は以下のモジュールを含む。
【００８８】
検出モジュール６１４は、予め設定された第一時間閾値内においてユーザ識別子により入力された帳票に対応する帳票入力情報を受信したか否かを検出することに用いられる。
【００８９】
帳票入力情報記憶モジュール６２４は、帳票入力情報を受信した場合、帳票入力情報をデータベースに記憶することに用いられる。
【００９０】
帳票回収モジュール６３４は、帳票入力情報を受信しない場合、帳票を回収して再度割り当てることに用いられる。
【００９１】
一実施形態において、ユーザ識別子は、内部ユーザ識別子、専用ユーザ識別子とパートタイムユーザ識別子を含む。本実施形態において、図１０に示すように、別のサーバが提供され、該サーバは別の帳票情報入力装置を含み、該装置が以下のモジュールを含む。
【００９２】
帳票割り当てモジュール６０２は、同一の帳票を予め設定された数のユーザ識別子に割り当てることに用いられる。
【００９３】
帳票入力情報受信モジュール６０４は、ユーザ識別子により入力された帳票に対応する帳票入力情報を受信することに用いられる。
【００９４】
帳票入力情報判定モジュール６０６は、帳票入力情報の数が予め設定された数に達成すると、帳票入力情報が同じであるか否かを判定することに用いられる。
【００９５】
正確帳票入力情報確定モジュール６０８は、帳票入力情報がすべて同じである場合、帳票入力情報を正確な帳票入力情報とし、帳票入力情報が同じではない場合、帳票を再審査権限を有する再審査ユーザ識別子に割り当て、再審査ユーザ識別子により入力された帳票に対応する再審査帳票入力情報を受信し、再審査帳票入力情報を正確な帳票入力情報とすることに用いられる。
【００９６】
正確帳票入力情報記憶モジュール６１０は、正確な帳票入力情報をデータベースに記憶することに用いられる。
【００９７】
帳票入力量統計モジュール８１２は、予め設定された第三時間閾値内におけるユーザ識別子に対応する帳票入力量を統計することに用いられる。
【００９８】
所定帳票割り当て量調整モジュール８１４は、ユーザ識別子に対応する帳票入力量が予め設定された帳票割り当て量以上である場合、ユーザ識別子に対応する予め設定された帳票割り当て量を増加し、ユーザ識別子に対応する帳票入力量が予め設定された帳票割り当て量より小さい場合、ユーザ識別子に対応する予め設定された帳票割り当て量を減少させることに用いられる。
【００９９】
一実施形態において、ユーザ識別子は、内部ユーザ識別子、専用ユーザ識別子とパートタイムユーザ識別子を含む。本実施形態において、別のサーバが提供され、図１１に示すように、該サーバは帳票情報入力装置を含み、該装置は以下のモジュールを含む。
【０１００】
帳票割り当てモジュール６０２は、同一の帳票を予め設定された数のユーザ識別子に割り当てることに用いられる。
【０１０１】
検出モジュール６１４は、予め設定された第一時間閾値内においてユーザ識別子により入力された帳票に対応する帳票入力情報を受信したか否かを検出することに用いられる。
【０１０２】
帳票入力情報記憶モジュール６２４は、帳票入力情報を受信した場合、帳票入力情報をデータベースに記憶することに用いられる。
【０１０３】
帳票回収モジュール６３４は、帳票入力情報を受信しない場合、帳票を回収して再度割り当てることに用いられる。
【０１０４】
帳票入力情報判定モジュール６０６は、帳票入力情報の数が予め設定された数に達すると、帳票入力情報が同じであるか否かを判定することに用いられる。
【０１０５】
正確帳票入力情報確定モジュール６０８は、帳票入力情報がすべて同じである場合、帳票入力情報を正確な帳票入力情報とし、帳票入力情報が同じではない場合、帳票を再審査権限を有する再審査ユーザ識別子に割り当て、再審査ユーザ識別子により入力された帳票に対応する再審査帳票入力情報を受信し、再審査帳票入力情報を正確な帳票入力情報とすることに用いられる。
【０１０６】
正確帳票入力情報記憶モジュール６１０は、正確な帳票入力情報をデータベースに記憶することに用いられる。
【０１０７】
入力正確率計算モジュール７１２は、予め設定された第二時間閾値内においてユーザ識別子により帳票入力を行った入力総回数と正確入力回数を統計し、ユーザ識別子に対応する入力正確率を計算することに用いられる。
【０１０８】
再審査権限付与モジュール７１４は、入力正確率が予め設定された正確率閾値以上である場合、ユーザ識別子に再審査権限を付与することに用いられる。
【０１０９】
帳票入力量統計モジュール８１２は、予め設定された第三時間閾値内におけるユーザ識別子に対応する帳票入力量を統計することに用いられる。
【０１１０】
所定帳票割り当て量調整モジュール８１４は、ユーザ識別子に対応する帳票入力量が予め設定された帳票割り当て量以上である場合、ユーザ識別子に対応する予め設定された帳票割り当て量を増加し、ユーザ識別子に対応する帳票入力量が予め設定された帳票割り当て量より小さい場合、ユーザ識別子に対応する予め設定された帳票割り当て量を減少させることに用いられる。
【０１１１】
上記帳票情報入力装置における各モジュールは、全部又は一部で、ソフトウェア、ハードウェア及びそれらの組み合わせで実現されることができる。その中で、ネットワークインタフェースは、イーサネットカード又はワイヤレスネットワークカードなどであってもよい。上記各モジュールは、ハードウェアの形態でサーバにおけるプロセッサに埋め込まれてもよいし、サーバにおけるプロセッサから独立して設けられてもよく、またプロセッサが呼び出して上記の各モジュールに対応する操作を実行するように、ソフトウェアの形態でサーバにおけるメモリに記憶されてもよい。該プロセッサは、中央処理装置（ＣＰＵ）、マイクロプロセッサ、マイクロコントローラなどであってもよい。
【０１１２】
一実施形態において、コンピュータ実行可能命令が記憶された一つ又は複数のコンピュータ可読不揮発性記憶媒体であって、コンピュータ実行可能命令が一つ又は複数のプロセッサに実行される際に、一つ又は複数のプロセッサに、同一の帳票を予め設定された数のユーザ識別子に割り当てるステップ、前記ユーザ識別子により入力された前記帳票に対応する帳票入力情報を受信するステップ、前記帳票入力情報の数が予め設定された数に達すると、前記帳票入力情報が同じであるか否かを判定するステップ、前記帳票入力情報がすべて同じである場合、前記帳票入力情報を正確な帳票入力情報とし、前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とするステップ、
前記正確な帳票入力情報をデータベースに記憶するステップ、を実行させる。
【０１１３】
一実施形態において、前記一つ又は複数のプロセッサが前記ユーザ識別子により入力された前記帳票に対応する帳票入力情報を受信するステップを実行することは、予め設定された第一時間閾値内において前記ユーザ識別子により入力された前記帳票に対応する帳票入力情報を受信したか否かを検出し、前記帳票入力情報を受信した場合、前記帳票入力情報をデータベースに記憶し、前記帳票入力情報を受信しない場合、前記帳票を回収して再度割り当てることを含む。
【０１１４】
一つの実施形態において、前記一つ又は複数のプロセッサは、さらに、予め設定された第二時間閾値内において前記ユーザ識別子により帳票入力を行った入力総回数と正確入力回数を統計し、前記ユーザ識別子に対応する入力正確率を計算するステップ、前記入力正確率が予め設定された正確率閾値以上である場合、前記ユーザ識別子に再審査権限を付与するステップとを実行する。
【０１１５】
一実施形態において、前記一つ又は複数のプロセッサが、前記帳票入力情報が同じではない場合に、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とするステップを実行することは、前記帳票入力情報が同じではない場合、各前記帳票入力情報の入力回数と前記帳票入力情報の入力総回数に基づき、各前記帳票入力情報の入力割合を計算し、最大入力割合を確定し、及び前記最大入力割合が予め設定された閾値より小さい場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすることを含む。
【０１１６】
一つの実施形態において、前記ユーザ識別子は、内部ユーザ識別子、専用ユーザ識別子とパートタイムユーザ識別子を含む。前記一つ又は複数のプロセッサは、さらに、予め設定された第三時間閾値内における前記ユーザ識別子に対応する帳票入力量を統計するステップ、前記ユーザ識別子に対応する前記帳票入力量が予め設定された帳票割り当て量以上である場合、前記ユーザ識別子に対応する前記予め設定された帳票割り当て量を増加するステップ、前記ユーザ識別子に対応する前記帳票入力量が予め設定された帳票割り当て量より小さい場合、前記ユーザ識別子に対応する前記予め設定された帳票割り当て量を減少させるステップ、を実行する。
【０１１７】
コンピュータプログラムによって関連するハードウェアを制御することにより、上記の実施形態の方法におけるプロセスの全部又は一部を実現することを、当業者は理解すべきものである。該プログラムは不揮発性のコンピュータ可読記憶媒体に記憶されてもよく、該プログラムが実行される際に、上記の各方法の実施形態のプロセスを含んでもよい。該記憶媒体は、ディスク、光ディスク、読み取り専用メモリ（Ｒｅａｄ  ｏｎｌｙ  ｍｅｍｏｒｙ：ＲＯＭ）などであってもよい。
【０１１８】
上記した実施形態の各技術特徴は任意に組み合わせてもよく、記載を簡潔にするため、上記の実施形態における各技術特徴の全ての可能な組み合わせを記載してはいないが、これらの技術特徴の組み合わせに矛盾しない限り、本発明の範囲内にあると見なされるべきである。
【０１１９】
上記した実施形態は、本発明のいくつかの実施形態を単に説明するものであり、その記載は具体的且つ詳細なものであるが、それに限定されるものではない。なお、当業者にとって、本発明の趣旨から逸脱しない範囲で種々の変形や改善が可能であり、これらは本発明の保護範囲に属するものであると理解されたい。したがって、本発明の技術的な範囲は、添付の特許請求の範囲に準ずるべきである。
【図１】
2019508760.tif 000003
【図２】
2019508760.tif 000004
【図３】
2019508760.tif 000005
【図４】
2019508760.tif 000006
【図５】
2019508760.tif 000007
【図６】
2019508760.tif 000008
【図７】
2019508760.tif 000009
【図８】
2019508760.tif 000010
【図９】
2019508760.tif 000011
【図１０】
2019508760.tif 000012
【図１１】
2019508760.tif 000013
【図１２】
2019508760.tif 000014
【図１３】
2019508760.tif 000015
【図１４】
2019508760.tif 000016
【図１５】
2019508760.tif 000017
【図１６】
2019508760.tif 000018
【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
帳票情報入力方法であって、
同一の帳票を予め設定された数のユーザ識別子に割り当てること、
前記ユーザ識別子により入力された前記帳票に対応する帳票入力情報を受信すること、
前記帳票入力情報の数が予め設定された数に達すると、前記帳票入力情報が同じであるか否かを判定すること、
前記帳票入力情報がすべて同じである場合、前記帳票入力情報を正確な帳票入力情報とし、前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすること、
前記正確な帳票入力情報をデータベースに記憶すること、
を含むことを特徴とする帳票情報入力方法。
【請求項２】
前記ユーザ識別子により入力された前記帳票に対応する帳票入力情報を受信することは、
予め設定された第一時間閾値内において前記ユーザ識別子により入力された前記帳票に対応する帳票入力情報を受信したか否かを検出すること、
前記帳票入力情報を受信した場合、前記帳票入力情報をデータベースに記憶し、前記帳票入力情報を受信しない場合、前記帳票を回収して再度割り当てることを含むこと、
を特徴とする請求項１に記載の方法。
【請求項３】
前記方法は、さらに、
予め設定された第二時間閾値内において前記ユーザ識別子により帳票入力を行った入力総回数と正確入力回数を統計し、前記ユーザ識別子に対応する入力正確率を計算すること、
入力正確率が予め設定された正確率閾値以上である場合、前記ユーザ識別子に再審査権限を付与すること、
を含むことを特徴とする請求項１に記載の方法。
【請求項４】
前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすることは、
前記帳票入力情報が同じではない場合、各前記帳票入力情報の入力回数と前記帳票入力情報の入力総回数に基づき、各前記帳票入力情報の入力割合を計算し、最大入力割合を確定し、前記最大入力割合が予め設定された閾値より小さい場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすること、
を含むことを特徴とする請求項１に記載の方法。
【請求項５】
前記ユーザ識別子は、内部ユーザ識別子、専用ユーザ識別子とパートタイムユーザ識別子を含み、前記方法は、さらに、
予め設定された第三時間閾値内における前記ユーザ識別子に対応する帳票入力量を統計すること、
前記ユーザ識別子に対応する前記帳票入力量が予め設定された帳票割り当て量以上である場合、前記ユーザ識別子に対応する前記予め設定された帳票割り当て量を増加し、前記ユーザ識別子に対応する前記帳票入力量が予め設定された帳票割り当て量より小さい場合、前記ユーザ識別子に対応する前記予め設定された帳票割り当て量を減少させること、
を含むことを特徴とする請求項１に記載の方法。
【請求項６】
帳票情報入力装置であって、
同一の帳票を予め設定された数のユーザ識別子に割り当てることに用いられる帳票割り当てモジュール、
前記ユーザ識別子により入力された前記帳票に対応する帳票入力情報を受信することに用いられる帳票入力情報受信モジュール、
前記帳票入力情報の数が予め設定された数に達すると、前記帳票入力情報が同じであるか否かを判定することに用いられる帳票入力情報判定モジュール、
前記帳票入力情報がすべて同じである場合、前記帳票入力情報を正確な帳票入力情報とし、前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすることに用いられる正確帳票入力情報確定モジュール、
前記正確な帳票入力情報をデータベースに記憶することに用いられる正確帳票入力情報記憶モジュール、
を含むことを特徴とする帳票情報入力装置。
【請求項７】
前記帳票入力情報受信モジュールは、
予め設定された第一時間閾値内において前記ユーザ識別子により入力された前記帳票に対応する帳票入力情報を受信したか否かを検出することに用いられる検出モジュール、
前記帳票入力情報を受信した場合、前記帳票入力情報をデータベースに記憶することに用いられる帳票入力情報記憶モジュール、
前記帳票入力情報を受信しない場合、前記帳票を回収して再度割り当てることに用いられる帳票回収モジュール、
を含むことを特徴とする請求項６に記載の装置。
【請求項８】
前記装置は、さらに、
予め設定された第二時間閾値内において前記ユーザ識別子により帳票入力を行った入力総回数と正確入力回数を統計し、前記ユーザ識別子に対応する入力正確率を計算することに用いられる入力正確率計算モジュール、
前記入力正確率が予め設定された正確率閾値以上である場合、前記ユーザ識別子に再審査権限を付与することに用いられる再審査権限付与モジュール、
を含むことを特徴とする請求項６に記載の装置。
【請求項９】
前記正確帳票入力情報確定モジュールは、前記帳票入力情報が同じではない場合、各前記帳票入力情報の入力回数と前記帳票入力情報の入力総回数に基づき、各前記帳票入力情報の入力割合を計算し、最大入力割合を確定し、前記最大入力割合が予め設定された閾値より小さい場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすることに用いられること
を特徴とする請求項６に記載の装置。
【請求項１０】
前記ユーザ識別子は、内部ユーザ識別子、専用ユーザ識別子とパートタイムユーザ識別子を含み、前記装置は、さらに、
予め設定された第三時間閾値内における前記ユーザ識別子に対応する帳票入力量を統計することに用いられる帳票入力量統計モジュール、
前記ユーザ識別子に対応する前記帳票入力量が予め設定された帳票割り当て量以上である場合、前記ユーザ識別子に対応する前記予め設定された帳票割り当て量を増加し、前記ユーザ識別子に対応する前記帳票入力量が予め設定された帳票割り当て量より小さい場合、前記ユーザ識別子に対応する前記予め設定された帳票割り当て量を減少させることに用いられる所定帳票割り当て量調整モジュール、
を含むことを特徴とする請求項６に記載の装置。
【請求項１１】
コンピュータ可読命令が記憶されたメモリと、一つ又は複数のプロセッサとを備えるサーバであって、
前記コンピュータ可読命令が前記プロセッサに実行される際に、前記一つ又は複数のプロセッサに、
同一の帳票を予め設定された数のユーザ識別子に割り当てるステップ、
前記ユーザ識別子により入力された前記帳票に対応する帳票入力情報を受信するステップ、
前記帳票入力情報の数が予め設定された数に達すると、前記帳票入力情報が同じであるか否かを判定するステップ、
前記帳票入力情報がすべて同じである場合、前記帳票入力情報を正確な帳票入力情報とし、前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とするステップ、
前記正確な帳票入力情報をデータベースに記憶するステップ、
を実行させることを特徴とするサーバ。
【請求項１２】
前記一つ又は複数のプロセッサが前記ユーザ識別子により入力された前記帳票に対応する帳票入力情報を受信するステップを実行することは、
予め設定された第一時間閾値内において前記ユーザ識別子により入力された前記帳票に対応する帳票入力情報を受信したか否かを検出し、
前記帳票入力情報を受信した場合、前記帳票入力情報をデータベースに記憶し、前記帳票入力情報を受信しない場合、前記帳票を回収して再度割り当てること、
を含むことを特徴とする請求項１１に記載のサーバ。
【請求項１３】
前記一つ又は複数のプロセッサは、さらに、
予め設定された第二時間閾値内において前記ユーザ識別子により帳票入力を行った入力総回数と正確入力回数を統計し、前記ユーザ識別子に対応する入力正確率を計算するステップ、
前記入力正確率が予め設定された正確率閾値以上である場合、前記ユーザ識別子に再審査権限を付与するステップ、
を実行することを特徴とする請求項１１に記載のサーバ。
【請求項１４】
コンピュータ実行可能な命令が記憶された一つ又は複数のコンピュータ可読不揮発性記憶媒体であって、前記コンピュータ実行可能な命令が一つ又は複数のプロセッサに実行される際に、前記一つ又は複数のプロセッサに、
同一の帳票を予め設定された数のユーザ識別子に割り当てるステップ、
前記ユーザ識別子により入力された前記帳票に対応する帳票入力情報を受信するステップ、
前記帳票入力情報の数が予め設定された数に達すると、前記帳票入力情報が同じであるか否かを判定するステップ、
前記帳票入力情報がすべて同じである場合、前記帳票入力情報を正確な帳票入力情報とし、前記帳票入力情報が同じではない場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とするステップ、
前記正確な帳票入力情報をデータベースに記憶するステップ、
を実行させることを特徴とするコンピュータ可読不揮発性記憶媒体。
【請求項１５】
前記一つ又は複数のプロセッサが、前記帳票入力情報が同じではない場合に、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とするステップを実行することは、
前記帳票入力情報が同じではない場合、各前記帳票入力情報の入力回数と前記帳票入力情報の入力総回数に基づき、各前記帳票入力情報の入力割合を計算し、最大入力割合を確定すること、
前記最大入力割合が予め設定された閾値より小さい場合、前記帳票を再審査権限を有する再審査ユーザ識別子に割り当て、前記再審査ユーザ識別子により入力された前記帳票に対応する再審査帳票入力情報を受信し、前記再審査帳票入力情報を正確な帳票入力情報とすること、
を含むことを特徴とする請求項１４に記載の記憶媒体。
【国際調査報告】
2019508760.tif 000019
2019508760.tif 000020
2019508760.tif 000021
2019508760.tif 000022